(57)【特許請求の範囲】
【請求項１】
多数のディンプルが形成されたボール外表面に文字，図形等の模様を表示し、上記外表面からの深さが全体に実質上均一な窪みによって上記模様を表示し、上記模様のうち輪郭長が１０〜５５ｍｍの範囲内である模様を模様全体の１０％以上含み、上記模様が直線及び／又は曲線によって形成されるゴルフボールであって、上記模様の全体を窪ませて模様を表示し、上記模様は、回転対称または正多面体の配置方法に基づいてボール表面に配置され、且つ複数のディンプルに跨って形成され、各模様の深さは、ディンプルよりも浅く、上記模様の形状は、円形、楕円形、または３角形，４角形，５角形，６角形，７角形，８角形及び１６角形の群から選ばれる多角形であると共に、上記外表面からの深さが全体に実質上均一な窪みの個数をＳ、ディンプル総数をＮとするとき、Ｓ／Ｎ×１００が１００％以下であることを特徴とするゴルフボール。
【請求項２】
上記模様の形状が、カーブを持たせた多角形である請求項１記載のゴルフボール。
【請求項３】
上記窪みの深さが０．１２ｍｍ以下である請求項１又は２記載のゴルフボール。
【発明の詳細な説明】
【技術分野】
【０００１】
本発明は、ボール表面に文字，図形等の模様を表示したゴルフボールに関し、特には、製造時における模様表示工程において、ボールの不良品の発生を実質上無くすことができるゴルフボールに関する。
【背景技術】
【０００２】
一般に、ゴルフボールの表面には、商品名や数字などのロゴマーク等の模様を表わす図形が単色又は複合色で表示されている。従来より、このような模様の形成方法としては、パッド印刷法によって直接印刷したり、所謂全ベタの転写フィルムを用いて刻印で押す転写法を用いたり、或いは、ベースフィルムの上に表示すべき模様の転写インキ層を形成した転写フィルムを用いて熱転写で印刷する熱転写法等により行なわれていた。これらの方法の共通するところは、有機系又は無機系の顔料を用いた印刷インキを用いること及び外部から圧力を加えて表示することである。
【０００３】
しかしながら、ゴルフボールの表面は、滑らかな球面とは異なり、表面にディンプル等の多数の凹凸が密度高く配置されているため、球面上に均一な圧力が加わり難く、特には、窪んだディンプルの底部分に印刷むらが生じたり、インクが滲んでしまい、模様の境界部分が不鮮明になるなど印刷不良が生じ、問題であった。
【０００４】
また、過去において、更なる飛距離向上のため、ボール内部の各層の硬度や厚さ、材料を検討し、ボール内部構造に関して多くの技術が提案されてきたが、これらの開発にも限りがあり、最近では、上記の技術開発のほかに、ボール表面に形成されるディンプルなどの凹凸模様をユニークなものにし、表面占有率を更に増加させて空気力学的性能を向上させることも重要課題の一つになっている。
【０００５】
【特許文献１】特開平１０−１４７０９７号公報
【特許文献２】特開２００４−２４３０３３号公報
【発明の開示】
【発明が解決しようとする課題】
【０００６】
本発明は、上記事情に鑑みなされたものであり、上記の種々の問題点を有する従来のインキを用いることなく、模様の鮮明性を良好に維持し、ボール表面の耐久性に優れたゴルフボールを提供することを目的とする。また、ディンプル等のボール表面の凹凸部による空気力学性能を更に向上させて飛距離増大を図ることができるゴルフボールを提供する。
【課題を解決するための手段】
【０００７】
本発明者らは、上記目的を達成すため鋭意検討を重ねた結果、従来から採用されているような有機系又は無機系の顔料を用いた印刷インキを用いることを避けて、ボール外表面の凹部及び／又は凸部に、文字，図形等の模様を、ボール外表面からの深さが全体に実質上均一な窪みによって表示することにより、ゴルフボールの表面に表示された模様の鮮明性をボールの寿命が実質上尽きるまで良好に維持することができ、本発明を完成したものである。
【０００８】
また、本発明者らは、表面に実質的に均一な窪みとディンプルとの個数の適正化を図り、これらをバランスよく配置することにより、ディンプル及び上記窪みによる表面占有率を向上させ、ゴルフボールの空気力学的性能を向上させることができることを知見し、本発明を完成したものである。
【０００９】
従って、本発明は、下記〔Ｉ〕〜〔ＩＩＩ〕のゴルフボールを提供する。
〔Ｉ〕  多数のディンプルが形成されたボール外表面に文字，図形等の模様を表示し、上記外表面からの深さが全体に実質上均一な窪みによって上記模様を表示し、上記模様のうち輪郭長が１０〜５５ｍｍの範囲内である模様を模様全体の１０％以上含み、上記模様が直線及び／又は曲線によって形成されるゴルフボールであって、上記模様の全体を窪ませて模様を表示し、上記模様は、回転対称または正多面体の配置方法に基づいてボール表面に配置され、且つ複数のディンプルに跨って形成され、各模様の深さは、ディンプルよりも浅く、上記模様の形状は、円形、楕円形、または３角形，４角形，５角形，６角形，７角形，８角形及び１６角形の群から選ばれる多角形であると共に、上記外表面からの深さが全体に実質上均一な窪みの個数をＳ、ディンプル総数をＮとするとき、Ｓ／Ｎ×１００が１００％以下であることを特徴とするゴルフボール。
〔ＩＩ〕  上記模様の形状が、カーブを持たせた多角形である〔Ｉ〕記載のゴルフボール。
〔ＩＩＩ〕  上記窪みの深さが０．１２ｍｍ以下である〔Ｉ〕又は〔ＩＩ〕記載のゴルフボール。
【発明の効果】
【００１０】
本発明のゴルフボールによれば、各種インキを用いた印刷法を用いることなく、商標名や番号等の文字及び／又は図形からなる模様をボール表面に顕示することができ、その模様の鮮明性を長期に亘って維持することができる。
【００１１】
また、本発明のゴルフボールは、表面に実質的に均一な窪みとディンプルとの個数の適正化を図り、これらをバランスよく配置することにより、ディンプル及び上記窪みによる表面占有率を向上させ、ゴルフボールの空気力学的性能を向上させることができる。
【発明を実施するための最良の形態】
【００１２】
以下、本発明を、図面に基づき更に詳しく説明する。
図１は、本発明（第１発明）の第１実施例を示すゴルフボールの正面図であり、図２は、図１におけるボールに表示された模様部分のＡ−Ａ断面図である。
【００１３】
図１において、ゴルフボールＧは、常法により、球面上に多数のディンプルＤが配置され、各ディンプルの間の球面部分（ボール中心から放射方向に最も遠い位置）に陸部Ｌが形成されたものである。図１におけるディンプルは、本実施例においては平面視円形であるが、ゴルフボールとしての機能を有する限りにおいて、楕円形，長円形，種々多角形など種々の形状を採用することができる。
【００１４】
ボールの外表面に表示された模様Ｍは、図１では英文字を表示しているが、一般にゴルフボールの商標名などである。図１の表示された数字「５」はゴルフボールの番号を表わす。そして、これらの商標名や番号等の模様Ｍは、ボール全体１ａに実質上均一な窪み１０ａによって表示されている。このようにして構成された模様１０は、特に色彩を施さなくても、光の反射により周囲の陸部Ｌ及びディンプルＤとの形状の違いによって模様が十分に識別されるものである。
【００１５】
本発明において、模様Ｍを形成する窪み１０ａを立体的に視ると、図２に示された形状を有する。即ち、図２において、模様Ｍを表示した窪み１０ａの深さｄpは全体に亘って実質上均一である。即ち、陸部Ｌに施した窪みの部分１１及びそこから延びるディンプルの部分に施した窪みの部分１２を通じて、表面からの深さｄpが実質上均一である。なお、上記表面からの深さｄpとは、陸部Ｌ，ディンプルＤ等を形成する曲面からの法線方向に沿った深さを意味する。この深さｄpは、０．１２ｍｍ以下であることが好ましく、更に好ましくは０．０９ｍｍ以下である。深さｄpが０．１２ｍｍを超えると模様の大きさ又は球面上の配置状態によってはボールの飛び性能に悪影響を及ぼす場合がある。この深さｄpの下限値としては０．０１５ｍｍが好ましい。一方、ディンプルの深さｄDは通常０．２〜０．４ｍｍである。即ち、上記窪みの深さｄpはディンプルの深さｄDよりも著しく小さいものである。
【００１６】
図３は、本発明（第１発明）の第２実施例を示すゴルフボールの正面図であり、図４は、図３におけるボールに表示された模様部分のＢ−Ｂ断面図である。
【００１７】
この実施例の特徴とするところは、平面視多角形に延びる縁部ｓによって区画された多数のディンプルＤがボール表面１ａに多数形成されていると共に、縁部を介して一方のディンプルから他方のディンプルに亘って模様の窪み１０ａが形成された点である。更に詳述すると、この実施例のゴルフボールでは、図３に示されるように、ディンプルＤが直線状に延びる複数の縁部ｓによって多角形状に取り囲んでなる多角形ディンプルを球面全体にバランス良く配置したものである。ボールを球面１２面体に見立て、この球面１２面体を構成するユニット五角形Ｔを便宜上１個だけ１点鎖線で示しているが、このユニット五角形Ｔに五角形ディンプルＤ5を主体として大きさが異なる複数のディンプルＤを２６個均等に配置したものである。ディンプルＤの配置については、ユニット五角形Ｔの中心の位置に、このユニット五角形Ｔと実質上相似する五角形ディンプルＤ5が、ユニット五角形Ｔとの間で両者の各辺がそれぞれ平行となる状態で配置されている。また、この五角形ディンプルＤ5の周囲には、該ディンプルを中心として、七角形ディンプルＤ7が５個配置されている。そして、ユニット五角形Ｔの５個の頂点、または角の部分に夫々ユニット五角形Ｔの辺に内接して五角形ディンプルＤ5’を配置すると共に、ユニット五角形Ｔ内の上記角の五角形ディンプルＤ5’と七角形ディンプルＤ7の間に各々他の五角形ディンプルＤ5”を３個ずつバランス良く配置している。この結果、２１個の五角形ディンプルＤ5，Ｄ5’，Ｄ5”と５個の七角形ディンプルＤ7の合計２６個のディンプルがユニット五角形Ｔ内に配置され、ボール外表面の全体に亘って五角形ディンプル及び七角形ディンプルが合計３１２個配置されている。
【００１８】
この実施例において、図４に示されるように、各縁部ｓは、１点鎖線で示したボールの外周仮想線Ｎ１と、該仮想線より距離ｈだけ小さく、且つ同心円状に延びる２点鎖線で示した基準線Ｎ２の間に形成され、この縁部ｓの形状はボールの外側向けて突出した断面円弧状である。そして、ディンプルＤは、基準線Ｎ２からボールの内側に向けて凹形状に形成される。なお、図３において、縁部ｓを示した一対の平行に延びる線は、図４における基準線Ｎ２と交わる縁部の基点位置を示している。
【００１９】
本実施例においては、図４に示すように、模様Ｍを形成する窪み１０ａは、縁部ｓを挟んだ左右のディンプルＤ，Ｄに亘って形成されたものである。なお、縁部ｓの頂点を連ねた外周仮想線Ｎ１と基準線Ｎ２との間の距離ｈ（言い換えれば、この距離は縁部の高さを示す。）は、約０．１５ｍｍであることが好適であり、この距離ｈを加算したディンプル深さｄについては０．３〜０．５ｍｍの範囲に適宜調整することが好適である。
【００２０】
図５は、本発明（第１発明）の他の実施態様を示したものである。図５におけるゴルフボールの特徴は、上記実施例で用いた縁部ｓを配置してボールの球面を多角形又は非円形状の区画部１２を形成し、縁部ｓを挟んで左右の球面１ａに模様Ｍを表わした窪み１０ａを配置した点にある。この窪み１０ａの構造や形状については、図３，４において示したものと実質上相違点はなく、図４に示した実施例と共に、外周仮想線Ｍは、縁部ｓの頂点を連ねたものであり、ボールＧの中心から放射方向に最も遠い位置にあり、球面１ａと一致する外表面と同心円をなして延びたものである。
【００２１】
図６は、本発明（第２発明）の第１実施例を示すゴルフボールの正面図であり、図７は、図６におけるボールに表示された模様部分ＭのＣ−Ｃ断面図である。
【００２２】
この発明は、第１発明と同様に、凹部及び／又は凸部が形成されたボール外表面１ａに文字，図形等の模様Ｍを溝１０ｂによって表示したゴルフボールＧであるが、その特徴とするところは、上記外表面１ａからの深さが全体に実質上均一な溝１０ｂによって上記模様Ｍを表示した点にある。
【００２３】
図６に示した例では、棒状，或いは見方を変えればＶ字状の模様Ｍを溝１０ｂによって描いたものであり、この模様Ｍをボールの外表面全体にバランス良くほぼ均一に配置したものである。この溝１０ｂの深さｄGは、第１発明における窪み１０ａの深さと同様に、０．１２ｍｍ以下であることが好ましく、更に好ましくは０．０９ｍｍ以下であり、下限値としては０．０１５ｍｍが好ましい。この溝１０ｂの断面形状については、図７に示した円弧状のほか、略Ｖ字状，略Ｕ字状，その他多角形状等が挙げられ、特に制限はない。また、この溝の最大幅については、特に制限はないが、溝の深さと同程度に調整したり、或いは、溝の深さの２倍から３倍程度に調整することが好適である。
【００２４】
本発明の第１発明及び第２発明において、実質上均一な深さによって形成された模様Ｍを表わす溝１０ｂの深さを０．０１２ｍｍ以下に調整した場合、打球の飛行時のバランスの面で悪影響が生じることは少ないものであるが、この場合においても、ボール外表面１ａ上に上記模様をバランスよく配置することが望まれる。例えば、２０面体、１２面体、８面体等の球面多面体等の公知の配置手法を利用することにより、ボール外表面全体に亘って模様Ｍを偏りなく表示し、ボールＧの美的外観を良くすることができる。また、上記の模様ＭをボールＧの赤道及び／又は経線に沿って模様を配置した場合、この模様を、プレイ時にパットを行うときのボール上の目標として利用することもできる。
【００２５】
また、本発明では、外表面からの深さが全体に実質上均一な窪みの個数をＳ、ディンプル総数をＮとするとき、Ｎに対するＳの比率が１００％以下であることが必要であり、好ましくは９０％以下、より好ましくは７０％以下、更に好ましくは５０％以下である。上記範囲を超えること、即ち、窪みをディンプルと同数以上に配置すると、窪みとディンプルとのバランスが悪くなってしまう。また、上限値としては、特に制限はないが、３％以上であることが好ましい。このように、本発明では、窪みの個数Ｓとディンプルの総数Ｎとの適正化を図り、これらをバランスよく配置することにより、ディンプル及び上記窪みによる表面占有率を向上させ、ゴルフボールの空気力学的性能を向上させることができるものである。
【００２６】
ここで言う「窪み」については、１つの輪郭によって閉鎖された領域を窪みの単位（１個）と定義し、窪みの個数はその領域の個数に相当する。
【００２７】
また、実質上均一な窪みによって表示される模様の輪郭長については、５５ｍｍ以下とすることが好ましく、より好ましくは４５ｍｍ以下、更に好ましくは３５ｍｍ以下であり、上限としては、好ましくは１０ｍｍ以上、より好ましくは１５ｍｍ以上、更に好ましくは２０ｍｍ以上である。
【００２８】
また、上記模様の輪郭長１０ｍｍ以上５５ｍｍ以下のものを模様全体の１０％以上とすることが本発明の効果を有効に発揮させることができ、より好ましくは３０％以上、更に好ましくは５０％以上、最も８０％以上とすることであり、１００％であっても差し支えない。
【００２９】
上記模様は、円形、楕円形または多角形のいずれの形状であってもよい。また、円弧状であってもよく、特に好ましくは円の一部となるような形状を用いることである。楕円形状は、正円から所定度ずれた形のものを楕円として定義される。記載する。また、曲線の間に、直線状部材を持つものであっても構わない。また、多角形としては、幾何学的に言われる多角形を意味し、具体的には、３角形、４角形、５角形、６角形、７角形、８角形、１６角形の中から選ばれた多角形を用いることが好適である。この場合、上記の多角形について、その角部にカーブ（Ｒ）を持たせることが好ましく、これによりボールに働く抗力をできる限り抑えることができ、その結果、飛距離を向上させることができる。
【００３０】
上記の模様が多角形である例として図９に示されたゴルフボールが挙げられる。このゴルフボールの表面に形成された模様Ｍは３角形、５角形及び６角形であり、それぞれの模様Ｍ０，Ｍ１，Ｍ２が複数のディンプルと交差してボール表面にバランスよく配置されている。上記模様を拡大した図が図１０（Ａ）（Ｂ）に示されているが、これらの模様の角部はカーブ（またはＲ）に施されている。
【００３１】
上記の模様は、外表面からの深さが全体に実質上均一な窪みであり、この窪みは、具体的には、図１１に示されるように、複数のディンプルに跨って刻まれているような比較的浅い溝に相当する。この場合、上記溝は陸部及びディンプル内面において実質上均一であることを要する。
【００３２】
また、他の模様として図１２に示された模様があり、比較的大きな６角形模様Ｍ３と比較的小さな５角形模様Ｍ４とがボール表面に均一に配置されている。これらの模様Ｍ３，Ｍ４は、図１３に示されるように１個の円形ディンプルＤを取り囲むように５角形または６角形の模様を現している。
【００３３】
更に、別の模様として、図１４に示された模様があり、この模様は、５個または６個のディンプルに交差して大小の真円形Ｍ５，Ｍ６を呈するものである。これらの真円模様Ｍ５，Ｍ６は、図１５に示されるように、１個の円形ディンプルＤを取り囲むように配置されている。
【００３４】
なお、本発明では、図９〜図１５に示された多角形模様または円形模様の形状に限定されるものではなく、また、その模様の配置態様も図面の態様に限定されるものではなく、本発明の要旨を逸脱しない限り、その模様の構成等は適宜設計変更することができる。なお、ボール表面に窪みとディンプルとをバランスよく配置させる方法としては、回転対称や正多面体等の公知のディンプルの配置方法を利用することが望ましい。
【００３５】
上記の模様Ｍの形成方法としては、例えば、ボール成形金型のキャビティ壁部に、模様用の窪み１０ａや溝１０ｂに相当する突条部をディンプル等の凹凸部とともに形成し、この金型を用いて射出成形することにより、ボール表面１ａに模様Ｍを形成する方法が挙げられる。このような金型を作成する場合は、通常の手法と同様、３ＤＣＡＤ・ＣＡＭを使用し、反転用マスター型に、全表面形状を直接３次元で削りだす手法、或いは、成型用金型のキャビティ壁部を直接３次元で削りだす手法を用いることができる。
【００３６】
なお、本発明のゴルフボールにおいては、従来の印刷手法によって形成された模様をボール表面に表示することを妨げるものではない。
【００３７】
本発明のゴルフボールは、上記実施例に限定されるものではなく、ボール表面に形成されるディンプル等の凹凸部の形状や配置態様、更には模様の種類、形成位置などは、適宜変更することができ、その他の構成も本発明の要旨を逸脱しない限り、適宜変更して差し支えない。本発明のゴルフボールにおける他の構成要素については特に制限されず、ワンピースゴルフボール，ツーピースゴルフボール及び３層構造以上のマルチピースゴルフボール等のソリッドゴルフボールとしてもよく、コアやカバー等である各部材の材料については、公知のゴム材料やアイオノマー樹脂，ポリエステルエラストマー及びウレタン樹脂等の公知の熱可塑性樹脂又は熱可塑性エラストマーなどを任意に採用し、所望の厚さや硬度に調整することができる。なお、ボール全体の重量、直径についてはゴルフ規則に従って適宜設定することができ、通常は直径４２．６７ｍｍ以上、重量４５．９３ｇ以下である。
【実施例】
【００３８】
以下、実施例と比較例を示し、本発明を具体的に説明するが、本発明は下記の実施例に制限されるものではない。
【００３９】
〔実施例１〜３、比較例１〕
表１に示す共通の配合によりコア組成物を調整した後、１５５℃，１５分間の加硫条件により加硫成形することによりゴム製コアを作成した。このコアに対して、下記表２に示す樹脂材料Ｎｏ．１〜Ｎｏ．３を用いて包囲層、中間層、及びカバー（最外層）を順に射出成形法により成形して図８に示したフォーピースソリッドゴルフボールを作成した。図中の符号について、Ｇはゴルフボール、１はコア、２は包囲層、３は中間層及び４はカバーであり、カバー４の表面には所定のディンプルＤが形成される。そして、各実施例及び比較例のゴルフボールの構造の詳細は表３に示し、ディンプル態様については表４及び図９，１２，１４及び１６に示した。ゴルフボールの飛び性能を評価し、その結果を表４に併記した。
【００４０】
【表１】
0005251045.tif 000002
【００４１】
なお、表１中に記載した主な材料の商品名は以下の通りである。
・ポリブタジエン：商品名「ＢＲ７３０」ＪＳＲ社製
・老化防止剤    ：商品名「ノクラックＮＳ−６」大内新興化学工業社製
２，２−メチレンビス（４−メチル−６−ブチルフェノール）
・過酸化物      ：商品名「パーヘキサＣ４０」日本油脂社製
１，１−ジ（ｔ−ブチルパーオキシ）シクロヘキサンとシリカとの混
合物
【００４２】
【表２】
0005251045.tif 000003
【００４３】
なお、表２中に記載した主な材料の商品名は以下の通りである。上記の数字は全て重量部である。
・ハイミラン          ：三井デュポンポリケミカル社製のアイオノマー
・ダイナロン６１００Ｐ：ＪＳＲ社製の水添ポリマー
・ハイトレル          ：東レデュポン社製のポリエステルエラストマー
・ベヘニン酸          ：日本油脂社製  ＮＡＡ２２２−Ｓビーズ指定
・水酸化カルシウム    ：白石工業社製  ＣＬＳ−Ｂ指定
・Ｔ８２６０、Ｔ−８２９０、Ｔ８２９５：
DIC Bayer Polymer社製の商標パンデックス、ＭＤＩ−ＰＴＭ
Ｇタイプ熱可塑性ポリウレタン
・ポリエチレンワックス：「サンワックス１６１Ｐ」（三洋化成社製）
・イソシアネート化合物：４，４’−ジフェニルメタンジイソシアネート
【００４４】
【表３】
0005251045.tif 000004
【００４５】
【表４】
0005251045.tif 000005
【００４６】
飛び性能
ドライバー（Ｗ＃１）を打撃ロボットにセットし、ヘッドスピード４５ｍ／ｓにて打出し角１０°で打撃した時の飛距離を測定した。
【００４７】
表４に示されるように、外表面からの深さが全体に実質上均一な窪みによって模様を形成した実施例１〜３のゴルフボールは、そのような窪みを形成しない比較例１のゴルフボールに比べて、飛距離が伸びることが分かった。即ち、本実施例のゴルフボールでは、表面に実質的に均一な窪みをバランスよく配置することでボールの空気力学的性能を向上させたものである。
【図面の簡単な説明】
【００４８】
【図１】本発明のゴルフボールを示す正面図である。
【図２】図１のゴルフボールの外表面付近を示す一部断面図（Ａ−Ａ断面図）である。
【図３】本発明の他のゴルフボールを示した正面図である。
【図４】図３のゴルフボールの外表面付近を示す一部断面図（Ｂ−Ｂ断面図）である。
【図５】ボール外表面に形成される模様の他の例を示した一部断面図である。
【図６】本発明の別のゴルフボールを示す正面図である。
【図７】図６のゴルフボールの外表面付近を示す一部断面図（Ｃ−Ｃ断面図）である。
【図８】ゴルフボールの内部構造の一例を示す断面図である。
【図９】実施例１のゴルフボールを示す正面図である。
【図１０】図９の模様を表したボール表面の一部拡大図である。
【図１１】模様として現れるボール表面上の溝の様子を示す部分斜視図である。
【図１２】実施例２のゴルフボールを示す正面図である。
【図１３】図１２の模様を表したボール表面の一部拡大図である。
【図１４】実施例３のゴルフボールを示す正面図である。
【図１５】図１４の模様を表したボール表面の一部拡大図である。
【図１６】比較例のゴルフボール示す正面図である。
【符号の説明】
【００４９】
Ｇ      ゴルフボール
Ｄ      ディンプル
Ｌ      陸部
Ｍ      模様
１ａ    ボール表面
１０ａ  窪み
１０ｂ  溝
ｄp     窪みの深さ
ｄD     ディンプルの深さ
【図１】
0005251045.tif 000006
【図２】
0005251045.tif 000007
【図３】
0005251045.tif 000008
【図４】
0005251045.tif 000009
【図５】
0005251045.tif 000010
【図６】
0005251045.tif 000011
【図７】
0005251045.tif 000012
【図８】
0005251045.tif 000013
【図９】
0005251045.tif 000014
【図１０】
0005251045.tif 000015
【図１１】
0005251045.tif 000016
【図１２】
0005251045.tif 000017
【図１３】
0005251045.tif 000018
【図１４】
0005251045.tif 000019
【図１５】
0005251045.tif 000020
【図１６】
0005251045.tif 000021